【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
所定の入力レートで外部から入力されてくる情報を第１の記録情報記憶手段に一時的に記憶し、当該記憶した情報を読み出して前記入力レートよりも高い記録レートで記録媒体に記録する情報記録手段と、
前記記録媒体に記録されている記録情報を所定の検出レートにて検出して第２の記録情報記憶手段に一時的に記憶し、当該記憶した記録情報を前記検出レートよりも低い出力レートで再生情報として外部へ出力する情報再生手段と、
前記情報記録手段及び前記情報再生手段を制御する制御手段と、を具備し、
前記制御手段は、
前記第１の記録情報記憶手段に一時的に記憶された前記情報を前記情報記録手段により前記記録媒体に記録する第１のモード、及び
前記第１の記録情報記憶手段に一時的に記憶された前記情報を前記情報記録手段により前記記録媒体に記録しつつ、前記記録レートと前記入力レートの差に起因して生じる前記情報の記録が行われない期間に前記記録媒体に記録されている記録情報を前記情報再生手段により再生する第２のモードのいずれか一方を選択可能であり、
前記第１のモードにおいて前記第１の記録情報記憶手段に一時的に記憶される前記情報の蓄積データ量は、前記第２のモードにおける前記第１の記録情報記憶手段に一時的に記憶される前記情報の蓄積データ量よりも少ないことを特徴とする情報記録再生装置。
【手続補正２】
【補正対象書類名】明細書
【補正対象項目名】０００８
【補正方法】変更
【補正の内容】
【０００８】
本発明による情報記録再生装置は、所定の入力レートで外部から入力されてくる情報を第１の記録情報記憶手段に一時的に記憶し、当該記憶した情報を読み出して前記入力レートよりも高い記録レートで記録媒体に記録する情報記録手段と、前記記録媒体に記録されている記録情報を所定の検出レートにて検出して第２の記録情報記憶手段に一時的に記憶し、当該記憶した記録情報を前記検出レートよりも低い出力レートで再生情報として外部へ出力する情報再生手段と、前記情報記録手段及び前記情報再生手段を制御する制御手段と、を具備し、前記制御手段は、前記第１の記録情報記憶手段に一時的に記憶された前記情報を前記情報記録手段により前記記録媒体に記録する第１のモード、及び前記第１の記録情報記憶手段に一時的に記憶された前記情報を前記情報記録手段により前記記録媒体に記録しつつ、前記記録レートと前記入力レートの差に起因して生じる前記情報の記録が行われない期間に前記記録媒体に記録されている記録情報を前記情報再生手段により再生する第２のモードのいずれか一方を選択可能であり、前記第１のモードにおいて前記第１の記録情報記憶手段に一時的に記憶される前記情報の蓄積データ量は、前記第２のモードにおける前記第１の記録情報記憶手段に一時的に記憶される前記情報の蓄積データ量よりも少ないことを特徴とする。
【手続補正３】
【補正対象書類名】明細書
【補正対象項目名】０００９
【補正方法】変更
【補正の内容】
【０００９】
請求項１に記載の発明の作用によれば、より安定して外部から入力される情報の情報記録媒体への記録と、この情報記録媒体に記録されている記録情報の再生を見かけ上において同時に進行させることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】